(57)【要約】  フォニックホイール速度センサ（２００）及びブレーキキャリパ（３００）用支持構造体（１００）であって、オートバイのフォークのステム（F）に固定された、又は、固定され得る本体（１）と、オートバイの車輪を支持するために前記本体（１）に接続される車輪支持部材（２）と、前記本体（１）から展開し、ブレーキキャリパ（３００）用の固定装置（３０）を備えた延長部（３）とを備えている。二つの貫通開口（３１，３２）が、前記延長部（３）に形成され、第一貫通開口（３１）がフォニックホイール速度センサ（２００）を収容し、第二貫通開口（３２）がフォニックホイール速度センサ（２００）のケーブル（２０１）の通路である。【選択図】    図１
2019535568.tif 000002
【特許請求の範囲】
【請求項１】
フォニックホイール速度センサ（２００）及びブレーキキャリパ（３００）用支持構造体（１００）であって、
・オートバイのフォークステム（F）に固定された、又は、固定され得る本体（１）と、
・オートバイの車輪を支持するために前記本体（１）に接続される車輪支持部材（２）と、
・前記本体（１）から展開し、ブレーキキャリパ（３００）用の固定装置（３０）を備えた延長部（３）と
を備えた支持構造体において、
二つの貫通開口（３１，３２）を、前記延長部（３）に形成し、第一貫通開口（３１）がフォニックホイール速度センサ（２００）を収容し、第二貫通開口（３２）がフォニックホイール速度センサ（２００）のケーブル（２０１）の通路である
ことを特徴とする支持構造体。
【請求項２】
前記延長部（３）に固定された、又は固定可能なグロメット装置（４）を備えている
ことを特徴とする請求項１に記載の支持構造体。
【請求項３】
前記グロメット装置（４）が、使用時に、オートバイの車輪に面する
ことを特徴とする請求項２に記載の支持構造体。
【請求項４】
前記延長部（３）の対向する縁部を画定する一対のリブ（３３，３４）と、前記リブ（３３，３４）間で延びる補強プレート（３５）とを備え、前記貫通開口（３１，３２）が前記補強プレート（３５）に画定されている
ことを特徴とする請求項１〜３の何れか一項に記載の支持構造体。
【請求項５】
前記一対のリブ（３３，３４）が、使用時に、オートバイの支持面に向けて配置される下側リブ（３３）と、下側リブに対向する上側リブ（３４）とを備え、グロメット装置（４）の動作部分が、前記上側リブ（３４）に固定されるか、又は固定可能である
ことを特徴とする請求項４に記載の支持構造体。
【請求項６】
ブレーキキャリパ（３００）の前記固定装置（３０）が、前記リブ（３３，３４）から延びるネジ付き部材を有する
ことを特徴とする請求項４又は５に記載の支持構造体。
【請求項７】
オートバイフェンダの固定アーム（５）を備え、該固定アーム（５）が、固定アーム（５）にフォニックホイール速度センサ（２００）のケーブル（２０１）を固定するためのフェアリードガイド（５１）を備えている
ことを特徴とする請求項１〜６の何れか一項に記載の支持構造体。
【請求項８】
前記フェアリードガイド（５１）が、使用時に、オートバイの車輪側に面している
ことを特徴とする請求項７に記載の支持構造体。
【請求項９】
前記第二貫通開口（３２）が、使用時に、前記第一貫通開口（３１）の上側に配置されている
ことを特徴とする請求項１〜８の何れか一項に記載の支持構造体。
【請求項１０】
前記本体（１）、前記車輪支持部（２）及び前記延長部（３）が一部品で形成されている
ことを特徴とする請求項１〜９の何れか一項に記載の支持構造体。
【請求項１１】
車輪、ホイール速度センサ（２００）及び前記速度センサ（２００）の信号を伝達する関連ケーブル（２０１）を備えたブレーキ補助システムを有するオートバイにおいて、
請求項１〜１０の何れか一項に記載の支持構造体を備え、
前記センサ（２００）が、前記第一貫通開口（３１）の内側に配置され、
前記ケーブルが、前記第二貫通開口（３２）を通過するよう配置され、前記支持構造体（１００）の、オートバイに関して外側に面する外面から、支持構造体（１００）の、オートバイの内側に面する内面（３ａ）に延びるようにされている
オートバイ。
【請求項１２】
前記支持構造体（１００）が、請求項２又は請求項２に従属する請求項３〜１０の何れか一項に従って形成され、前記グロメット装置（４）が、前記支持構造体（１００）の内面（３ａ）で組み立てられる
ことを特徴とする請求項１１に記載のオートバイ。
【請求項１３】
前記センサ（２００）が、固定部分（２０２）及びセンサ部材が配置された動作部分（２０３）を有し、
前記固定部分（２０２）が、前記第一貫通開口（３１）より大きく、かつ、前記外面上に載せて配置されるように適合される拡張部を有し、
センサが前記第一貫通開口（３１）を通して配置される時に、前記動作部分（２０３）及び前記固定部分（２０２）の一方が内面に、他方が外面に配置されように前記センサ（２００）が形成されている
ことを特徴とする請求項１１又は１２に記載のオートバイ。
【発明の詳細な説明】
【技術分野】
【０００１】
本発明は、フォークステムに固定された本体、車輪支持部材及びブレーキキャリパ組立用延長部を有するタイプのフォニックホイール速度センサ及びブレーキキャリパ用支持構造体に関する。
【背景技術】
【０００２】
公知のように、ホイール及び関連するセンサの使用を含むＡＢＳシステムを備えたオートバイでは、ホイール速度を検知するために適した位置にセンサを支持するために様々な解決手段が使用されている。
【０００３】
実施可能な解決手段の一つは、速度センサホルダをブレーキキャリパブラケットに連結することにある。
【０００４】
例えば、米国特許第７，９０１，０１３Ａ号には、上側アーム部分と下側アーム部分とに分岐するキャリパ支持部材が開示されている。下側アーム部分上に、ホイール速度センサを組み立てる組立領域が形成されている。
【０００５】
より正確には、キャリパの支持部材は、組立領域を形成する面が画定される内側リブを外側に有し、フォニックホイール速度センサの支持部材に連結されている。
【０００６】
このような解決手段、及び、より一般的には他の公知の解決手段は、構造的な堅牢性に関して最適ではない。
【０００７】
特に、フォニックホイール速度センサの支持構造体は、車両の走行中に移動物体によって引き起こされる打撃を受ける可能性があり、また、それらは、例えば、前輪を交換するために、例えば、バイクをスタンドに載せた時に、バイク等のメンテナス作業中に偶発的な衝突を被る可能性もある。
【０００８】
この堅牢性の問題に加えて、支持構造がその製造のために複雑な機械加工を含まないこともまた必要とされる。 実際、多くの解決手段は、センサ支持構造がフォークステムと一体的に形成されることを必要とし、これは、典型的には成形加工によって製造される構成要素の実現を困難にする可能性がある。
【０００９】
さらに、オートバイの分野では美的特徴も考慮に入れる必要がある。
【００１０】
従って、重量及び構成要素を制限する必要があるため、見える場所に残されたフォニックホイール速度センサに対する接続用のケーブルを使用することが好ましいが、適切な保護がなければ、ケーブルがブレーキディスクから遠く離れて外側に延びるように形成されていない限り、例えば、ブレーキディスクとの接触の後に、ケーブルは、特に、損傷の危険に晒される。
【００１１】
しかしながら、このような解決手段は、ケーブルを特に目に見えるようにし、比較的不快な美観を生じさせ、車両の保守作業中に、潜在的な障害物になる。
【発明の概要】
【００１２】
本発明の根底にある技術的課題は、引用した従来技術を参照して説明した制限の一つ又は複数を解決するように本質的及び機能的に考えられたフォニックホイール速度センサ支持構造体を提供することにある。
【００１３】
上述の問題の範囲内で、本発明の主たる目的は、打撃に対する適切な保護を可能にし、走行中及び保守作業中の両方で、衝撃及び偶発的な破損の危険性を減らしたフォニックホイール速度センサ支持構造体を開発することにある。
【００１４】
本発明のさらなる目的は、センサの高い信頼性を保証するフォニックホイール速度センサ用支持構造体を提供することにある。
【００１５】
本発明の別の目的は、審美的観点から十分であるフォニックホイール速度センサ支持構造体を提供することにある。
【００１６】
本発明のさらに別の目的は、簡単に製造でき、複雑な機械加工を必要としないフォニックホイール速度センサ用支持構造体を備えたオートバイを提供することにある。
【００１７】
本発明の別の目的は、センサケーブルが少なくとも部分的にカバーされ、可動部品によって引き起こされる損傷の危険に晒されることがないフォニックホイール速度センサ支持構造体を提供することにある。
【００１８】
請求項１に従って実現されたフォニックホイール速度センサ及びブレーキキャリパ用支持構造体を通して、本発明によって、上記問題は解決され、上記目的は達成される。
【００１９】
本発明の好ましい特徴は、従属項において定義されている。
【００２０】
本発明による支持構造体は、走行中及び、保守作業のために車両をスタンドに置く時の両方において、高いレベルでフォニックホイール速度センサを保護することを可能にする。
【００２１】
加えて、本発明による支持構造体は、目に見えるところで、及び、その損傷を引き起こし得るあらゆる構成要素に対しての両方において、センサケーブルを適切に保護することを可能にする。
【００２２】
さらに、前記支持構造体は、簡単な成型工程で、従って、複雑な機械加工を必要とせずに、実現することができる。
【００２３】
好ましい特徴によれば、本発明は、また、重量を軽減し、かつ、全体的なサイズの小型化をしているにも拘わらず、ブレーキキャリパを支持するための高い堅牢性及び剛性を提供することも可能にする。
【００２４】
さらに別の特徴によれば、本発明は、また、センサケーブルを支持構造体とブレーキディスクとの間に配置することを可能にし、従って、損傷の危険を回避することを可能にする。
【００２５】
他の特徴によれば、本発明は、付加的な構成要素を必要とすることなく、簡単な方法でブレーキキャリパを支持することを可能にする。
【００２６】
さらに別の特徴によれば、本発明は、センサケーブルをオートバイのフェンダの方向に効果的に方向付けすることを可能にし、この領域においても、ケーブルの保護を提供することを可能にする。
【００２７】
本発明の特徴及び利点は、添付図面を参照しながら、非限定的な実施例によってのみ説明される二つの実施例の詳細な説明から明らかになる。
【図面の簡単な説明】
【００２８】
【図１】本発明による支持構造体を外側から見た斜視図である。
【図２】図１の支持構造体を内側から見た斜視図である。
【図３】本発明の支持構造体を備えたオートバイの概略図である。
【発明を実施するための形態】
【００２９】
始めに図１を参照すると、符号１００は、本発明に従って形成されたフォニックホイール速度センサ２００及びブレーキキャリパ３００用の支持構造体全体を示している。
【００３０】
好ましい実施例によれば、支持構造体１００は、所謂、フォークステム、即ち、車両の車軸が固定され得る末端フォークの一部を画定する。
【００３１】
この場合、支持構造体は、図１に概略的に示されたフォークステムFに固定され得、好ましくは、ステム末端の一部が適切なシートで覆われ得るように形成される。
【００３２】
しかし、支持構造体は、より一般的には、それと一体部品で形成され得るフォークステムに固定することができることは明らかである。
【００３３】
本発明に係る構造体は、通常、好ましくは、一つ又は二つの前輪を有し、ABSシステムのようなブレーキ補助システムが設けられたオートバイで使用することを意図していることも留意されたい。好ましい実施例では、本発明に係る支持構造体は、前輪車軸、補助システムによって駆動される制動システムのブレーキキャリパ及びABSシステムで使用されるフォニックホイールのセンサを支持するために、一つ又は複数の前輪に適用される。
【００３４】
図１を参照すると、本発明に係る支持構造体１００は、フォークステムFに固定するための本体１を備え、本体１に車輪支持部材２が接続され、車輪の支持は、公知の方法で実施される。一実施例では、車輪支持部材２は、円筒状ハウジングを画定するように形成されており、円筒状ハウジングは、オートバイの車輪の回転軸Xに従って展開する。
【００３５】
本体１から、ブレーキキャリパ３００を支持し、それを組み立てるために、延長部３が突出している。
【００３６】
好ましい実施例では、本体１、車輪支持部材２及び延長部３は、一部品で形成されている。
【００３７】
好ましくは、延長部３は、ブレーキキャリパ３００の固定装置３０を備え、好ましい実施例では、固定装置３０は、不図示のネジ付き部材を有する。実施例によれば、ブレーキキャリパ３００は、二つの円筒状シートを有し得、前記シートにはネジが挿入され、前記ネジ付き部材を画定する各ネジ付きシートに係合する。好ましい実施例によれば、延長部３は、一対のリブ３３及び３４を有する。好ましい実施例では、延長部３は、使用中に車両の支持面に向けて配置される下側リブ３３と、前記下側リブ３３と対向する上側リブ３４を有する。言い換えれば、リブ３３及び３４は、延長部３の対向する縁部を画定し、延長部３を横方向に囲む。
【００３８】
一実施例では、リブ３３及び３４は、本体から異なる方向に相互に分岐する。好ましくは、リブ間の間の角度は１０°から４０°である。図１に示すように、延長部３は、好ましくは一対のリブ３３及び３４間で伸びる補強プレート３５を有する。
【００３９】
また、図２を参照すると、この構造によれば、延長部３には、好ましくは、９０°回転された実質的にH字状部分が設けられ、このH字状部分のアームは、リブ３３及び３４によって画定されている。より一般的には、このような構造を構成するために、リブ３３及び３４は、回転軸線Xに平行な方向に沿って、前記補助プレート３５より大きく突起する突起部を有し得る。このアプローチは、有利には、車軸と平行な方向に最大剛性を得ることを可能にすることに留意されたい。
【００４０】
本発明の別の特徴によれば、延長部の厚みを形成するリブ３３及び３４は、好ましくは、本体１から離れる方向にテーパ状に形成されている。
【００４１】
この特徴により、選択的に、本体１をブレーキキャリパ３０の固定装置３０に接続することを可能にする。
【００４２】
この場合、特に有利には、ブレーキキャリパ３００への固定装置３０は、一対のネジ付き部材３１１及び３１２を備え、ここで、上述したように、各ネジ付き部材は前記一対のリブ３３及び３４の各リブに接続されている。
【００４３】
また、好ましい実施例によれば、本体１は、実質的に円筒形の形状を有し、リブ３３及び３４は、本体１自身の幅広部分１１及び１２に接続されている。従って、このような特徴が、リブの幾何学的形状と相俟って、引張領域の蓄積の存在を制限することを可能にすることは明らかである。
【００４４】
上述した構成により、構造的な簡単さと軽量性を保証しながら、延長部３に堅牢性を与えることを可能にする。
【００４５】
好ましい実施例によれば、本体１０は、構造的特徴が有利になるように、別の拡張中間部１３を有し得る。
【００４６】
ここで再び図１を参照すると、延長部３には二つの貫通開口３１及び３２が形成されている。第一貫通開口３１は、フォニックホイールのセンサ２００を収容するためのものであり、第二貫通開口３２はセンサのケーブル２０１を配置するためのものである。
【００４７】
言い換えれば、支持構造体１００を、ブレーキ補助システムを備えたオートバイに使用する時に、センサ２００は第一貫通開口３１の内側に配置され、ケーブル２０１は第二貫通開口３２を通して配置される。
【００４８】
これにより、ケーブル２０１は、支持構造体１００の外面から、即ち、オートバイの外側に向いた面から、支持構造体の内面へ延びるように配置され、オートバイの内側に向けられる。好ましくは、前記外面及び内面は、延長部３に配置されたものであり、ここで、使用時に内面に対応する第一面３ａは、オートバイのブレーキディスクに面しており、外面に対応する第二面３ｂは、第一面と反対向きである。
【００４９】
また、好ましくは、第二貫通開口３２は、使用時に、第一貫通開口３１より上方の位置に配置され、これにより、ケーブル２０１が上側に向いて、制御電子機器及びブレーキ補助システムに必要な他の構成要素が収容されている動作領域に近づくことを可能にしている。
【００５０】
好ましい実施例では、貫通開口３１及び３２は、両方共、補強プレート３５を貫通するよう形成されており、従って、リブ３３及び３４に影響しない。
【００５１】
再び図２を参照すると、好ましい実施例によれば、センサ２００は、固定部分２０２及び動作部分２０３を有する。好ましくは、固定部分２０２は、第一貫通開口２０１より大きい拡張部を備え、前記拡張部は、前記外面３ｂの上に載るように配置されるよう形成される。
【００５２】
一実施例では、センサ２００は、前記動作部分２０３及び前記固定部分２０２の一方が延長部３の内面に、他方が延長部３の外面に配置されるように形成される。この解決手段は、有利には、センサの位置決めの高い精度を確保しながら、組立工程を簡単化することを可能にする。センサ１００の位置決めを容易にし、かつ、組立を簡単化するために、対応するネジを通してセンサを固定するための付加的ネジ付き孔が延長部３に設けられ得る。
【００５３】
加えて、ケーブル２０１の位置決めをさらに容易にするために、支持構造体１００は、好ましくは、延長部３に取り付けられるグロメット装置４、例えば、クランプ、スリーブ又は成形凹部を備えている。好ましい実施例によれば、グロメット装置４は、支持構造体１００の内面３ａに配置され、有利には、上述した構造におけるケーブルの効果的な位置決めを可能にする。
【００５４】
好ましくは、グロメット装置４は、上側リブ３４に対応する位置に取り付けられ、ブレーキディスクに最も近い位置で、支持構造体１００に隣接したままにすることを確実にする。
【００５５】
一実施例では、グロメット装置４は、ネジ又は他のネジ付き部材によって、内面３ａに取り付けられる。この解決手段により、特に有利には、支持構造体１００に対する著しい構造変更を必要とすることなく、ケーブルを固定することが可能にされる。さらに、特に有利には、クランプがグロメット装置４として使用される。
【００５６】
別の実施例では、図面には詳細には示されていないが、グロメット装置４は、成形凹部によって、例えば、内面３ａに形成された貫通孔によって形成される。好ましくは、成形凹部は、上側リブに設けられ、より好ましくは、それを貫通して形成される。
【００５７】
さらに別の特徴によれば、支持構造体１００は、フェンダをオートバイに取り付けることを可能にする固定アーム５を有する。
【００５８】
好ましい実施例に従って、ケーブル２０１を適切に組み立てるために、固定アーム５は、ケーブルガイド５１を備え、例えば、ガイド５１自身によって画定されるシートにおける干渉によってケーブル２０１が組立られ得る。また、ケーブルを隠すことを可能にするために、ケーブルガイド５は、好ましくは、使用時に、オートバイの車輪に向けられる。
【００５９】
本発明の特徴により、支持構造体１００は、視覚的観点及びあらゆる損傷の観点の両方においてケーブルの高いレベルの保護を確実にすると共に、フォニックホイール速度センサ２００の正確な組み立てを可能にする。
【００６０】
本発明による支持構造体は、支持構造体１００とブレーキディスクとの間にケーブル２０１を配置することを可能にしながら、それを支持構造体自身に隣接させて維持することを可能にする。
【図１】
2019535568.tif 000003
【図２】
2019535568.tif 000004
【図３】
2019535568.tif 000005
【国際調査報告】
2019535568.tif 000006
2019535568.tif 000007